(57)【要約】【課題】本発明は、保温性がありかつ隙間が生じない掛け布団用防寒具及び防寒具を備えた掛け布団の提供を目的とするものである。【解決手段】本発明に係る掛け布団用防寒具１は、掛け布団に取着するための取着体２と、該取着体に取り付けられた防寒体３とから構成され、防寒体は、取着体取付側を除く周囲が中空の肉薄部３ｄであり、肉薄部より内方側は充填材ｂが出し入れ可能な肉厚部３ｆに形成されてなる袋状をなしており、前記の取着体は、少なくとも掛け布団の頭部側を覆い包む袋状をなし、取着体の頭部側端部に防寒体が取り付けられており、防寒体は、２つの三角片３ａ、３ｂから構成され、三角片の長辺側を、その一部に重ね合わせ部３ｃを設けて、取着体２の頭部側端部に取着してなるものである。【選択図】        図２
2004267303.tif 000002
【特許請求の範囲】
【請求項１】
掛け布団に取着するための取着体と、該取着体に取り付けられた防寒体とから構成されてなることを特徴とする掛け布団用防寒具。
【請求項２】
防寒体は、取着体取付側を除く周囲が肉薄部であり、肉薄部より内方側は肉厚部であることを特徴とする請求項１に記載の掛け布団用防寒具。
【請求項３】
取着体は、掛け布団に着脱自在な係合部材を備えていることを特徴とする請求項１又は２に記載の掛け布団用防寒具。
【請求項４】
取着体は、掛け布団の少なくとも頭部側を覆い包む袋体であることを特徴とする請求項１〜３のいずれか１項に記載の掛け布団用防寒具。
【請求項５】
取着体は、掛け布団全体を覆い包む袋体であることを特徴とする請求項１〜４のいずれか１項に記載の掛け布団用防寒具。
【請求項６】
防寒体は、その肉厚部を充填材の出し入れが可能な構成とし、充填材を挿入したときに肉厚部となるように構成したことを特徴とする請求項１〜５のいずれか１項に記載の掛け布団用防寒具。
【請求項７】
防寒体は、複数の延設片から構成され、延設片の取着体取付側において、延設片同士の一部を重ね合わせた重ね合わせ部を設けて、取着体に取着してなることを特徴とする請求項１〜６のいずれか１項に記載の掛け布団用防寒具。
【請求項８】
延設片は、２つの三角片から構成され、三角片の長辺側を取着体取付側としたことを特徴とする請求項７に記載の掛け布団用防寒具。
【請求項９】
延設片は、左右の三角片と中央の台形片とから構成され、前記三角片及び台形片の長辺側を取着体取付側としたことを特徴とする請求項７に記載の掛け布団用防寒具。
【請求項１０】
取着体の両側部に中空の補助防寒体を設けたことを特徴とする請求項１〜９のいずれか１項に記載の掛け布団用防寒具。
【請求項１１】
取着体の足元部に中空の補助防寒体を設けたことを特徴とする請求項１〜１０のいずれか１項に記載の掛け布団用防寒具。
【請求項１２】
補助防寒体に充填材の出し入れを可能にしたことを特徴とする請求項１０又は１１に記載の掛け布団用防寒具。
【請求項１３】
請求項１〜９のいずれか１項に記載の防寒体及び請求項１０〜１２のいずれか１項に記載の補助防寒体の双方又はいずれか一方を取着したことを特徴とする防寒具を備えた掛け布団。
【発明の詳細な説明】
【０００１】
【発明の属する技術分野】
本発明は、掛け布団用防寒具及び防寒具を備えた掛け布団に関する。
【０００２】
【従来の技術】
従来より、特許文献１〜１３に示されるように、就寝中に肩口が冷える不具合を解消しようとして寝具に種々の工夫をなした発明が提案されている。
【０００３】
【特許文献１】実開平５−７４３７２号公報
【０００４】
【特許文献２】実開平６−８６６３８号公報
【０００５】
【特許文献３】登録実用新案第３００２８２３号公報
【０００６】
【特許文献４】登録実用新案第３０２３２３５号公報
【０００７】
【特許文献５】登録実用新案第３０３２２１１号公報
【０００８】
【特許文献６】特開平７−２７５１０２号公報
【０００９】
【特許文献７】特開平９−２８９９３９号公報
【００１０】
【特許文献８】特開２００２−４２３号公報
【００１１】
【特許文献９】特開２００２−１７５３７号公報
【００１２】
【特許文献１０】特開２００２−３２０５３９号公報
【００１３】
【特許文献１１】登録実用新案第３０２８８１８号公報
【００１４】
【特許文献１２】特開平６−７０８３４号公報
【００１５】
【特許文献１３】特開平１１−３３２７１５号公報
【００１６】
【発明が解決しようとする課題】
しかしながら、上記特許文献１〜１０に示されるものは、布状あるいは毛布状のもので就寝者の肩口を外気から遮蔽しようとするものであり、就寝中に体が動いても肩口に沿うので隙間が生じない点では効果があるものの、肉薄の布状であるため十分な保温効果が得られるものではなかった。また特許文献１１〜１３に示されるものは充填材入りの肉厚のもので肩口を覆う構成のものであるが、肉厚のものは柔軟性に欠けるため折れ曲がったりする箇所にどうしても隙間が生じ、その隙間から冷気が侵入するために十分な保温効果が得られない欠点がある。
【００１７】
そこで本発明者は、鋭意研究を重ね、保温性がありかつ隙間が生じない掛け布団用防寒具及び防寒具を備えた掛け布団を開発した。
【００１８】
【課題を解決するための手段】
本発明に係る掛け布団用防寒具は、掛け布団に取着するための取着体と、該取着体に取り付けられた防寒体とから構成されてなることを特徴とするものであり、また、防寒体は、取着体取付側を除く周囲が肉薄部であり、肉薄部より内方側は肉厚部であることを特徴とするものである。
【００１９】
このように構成したことにより、防寒体により保温性を確保できると共に肩口等への外気の侵入を防止することができ、また、防寒体に肉厚部と肉薄部とを設けた場合には、肉厚部で保温性を確保することができ、肉薄部で隙間を埋めることにより外気の侵入を防ぐことができる。
【００２０】
前記取着体を、掛け布団に着脱自在な係合部材を備えた構造としてもよい。その場合は、掛け布団に対して取着体が固定される。
【００２１】
また前記取着体を、掛け布団の少なくとも頭部側を覆い包む袋体とする構成としてもよい。その場合は、取着体を掛け布団に対して着脱が容易となる。
【００２２】
さらに前記取着体を掛け布団全体を覆い包む袋体とする構成としてもよい。その場合には、取着体が掛け布団カバーとなり、掛け布団に対して取着体が完全に固定される。
【００２３】
前記防寒体において、その肉厚部を充填材の出し入れが可能な構成とし、充填材を挿入したときに肉厚部となる構成としてもよい。その場合は、充填材を取り出せば洗濯ができる。
【００２４】
また前記防寒体を複数の延設片から構成し、延設片の取着体取付側において、延設片同士の一部を重ね合わせた重ね合わせ部を設けて、取着体に取着する構成としてもよい。その場合は、重ね合わせ部から頭を出すようにして使用すれば、頭部が動いても襟元がずれにくく、かつ、重ね合わせ部の一方がずれるようなことがあっても、他方で覆われる。なお、延設片の形状としては、三角片、台形、紡錘形、半円形、防滴形などの種々の形状のものが使用でき、また、個数や組合せも種々変更可能である。
【００２５】
前記延設片として２つの三角片から構成し、三角片の長辺側を取着体取付側とする構成としてもよい。その場合は、シングル用の掛け布団に相応しく、２つの三角片の中央から首を出すように使用すれば、頭部が動いても襟元がずれにくく、かつ、重ね合わせ部の一方がずれることがあっても、他方で覆われる。
【００２６】
また前記延設片として左右の三角片と中央の台形片とから構成され、前記三角片及び台形片の長辺側を取着体取付側とする構成としてもよい。その場合は、ダブル用の掛け布団に相応しく、一方の三角片と台形片とで１人分の防寒具が構成され、他方の三角片と台形片とでもう１人分の防寒具が構成される。
【００２７】
前記取着体の両側部に中空の補助防寒体を設けた構成としてもよい。その場合は、就寝中に掛け布団の側部が持ち上がって隙間が生じるようなことがあっても、前記の補助防寒体が掛け布団の側部から垂下して隙間を塞ぎ冷気の侵入を遮断する。しかも、このような構成にすると、掛け布団の幅が補助防寒体の分だけ実質的に大きくなる。
【００２８】
また前記取着体の足元部に中空の補助防寒体を設けた構成としてもよい。その場合は、掛け布団の長さが補助防寒体の分だけ実質的に大きくなるので、身長が高い人あるいは成長期にある子供に対しても十分に対応できる。
【００２９】
前記補助防寒体に充填材の出し入れを可能にした構成としてもよい。その場合は、補助防寒体に充填材を収納した場合には、補助防寒体が掛け布団を一回り大きいサイズの掛け布団に変形させる。
【００３０】
なお、上記の掛け布団用防寒具は掛け布団に対して着脱自在であるから、現在使用中の掛け布団に当該防寒具を使用することができ、また、取着体から掛け布団を取り外し、防寒体及び補助防寒体に充填材が収納されていない状態にすることもできる。
【００３１】
また、上記の防寒体及び補助防寒体の双方又はいずれか一方を取着した掛け布団を構成してもよい。このように構成すると、防寒体及び補助防寒体の作用を果たすと共に、布団カバーを工夫すれば、通常の掛け布団のように布団カバーを取り替えることが可能である。
【００３２】
【発明の実施の形態】
以下に本発明の好適な実施例を添付の図面に基づいて詳細に説明する。図１〜図９は第１の実施例を示し、図１０は第２の実施例を示し、図１１は第３の実施例を示し、図１２は第４の実施例を示し、図１３は第５の実施例を示し、図１４は第６の実施例を示し、図１５は第７の実施例を示し、図１６は第８の実施例を示し、図１７及び図１８は第９の実施例を示し、図１９は第１０の実施例を示す。
【００３３】
［第１の実施例］
図１は掛け布団用防寒具の平面図であり、図２は防寒体の構造を示す一部省略斜視図であり、図３は図１のＡ−Ａ線断面図であり、図４は当該防寒具を掛け布団に装着した状態を示す斜視図であり、図５は図４のＢ線部分断面図であり、図６は当該防寒具を装着した掛け布団を仰臥状態で使用した状態を示す部分斜視図であり、図７は図６の頭部側から見た使用状態図であり、図８は当該防寒具を装着した掛け布団を横臥状態で使用した状態を示す部分斜視図であり、図９は図８の頭部側から見た使用状態図である。
【００３４】
本実施例はシングルの掛け布団用に設計したものであって、１は防寒具を示し、防寒具１は掛け布団ａに取着するための取着体２と取着体２に取り付けられた防寒体３とから構成される。
【００３５】
取着体２は、幅１５０ｃｍ、長さ６５ｃｍであって、シングル用の掛け布団ａの頭部側を覆い包む袋状をなしている。このように取着体２を袋状に構成しているので、掛け布団ａに対して当該防寒具１の着脱が容易となる効果がある。そして、その上部左右の隅角部に切り欠き窓２ａ、２ｂが形成されており、掛け布団ａを装着する際に該切り欠き窓２ａ、２ｂから掛け布団の隅角部を引っ張ることができ、取着体２の掛け布団ａに対する装着を容易にしている。また、取着体２の開放側縁部２ｃにはゴム紐２ｄを縫着して開放側縁部２ｃに伸縮性を付与し、掛け布団ａへの装着時に掛け布団ａから取着体２がずれない工夫がなされている。なお、ずれ止めとしては、図示は省略するが、適宜の係止具、例えば、掛け布団の一部を掴むクリップ等の係合部材を使用することができる。また、取着体２の長さは前記の６５ｃｍに限られるものではなく、場合に応じて３０ｃｍ以下や１００ｃｍ以上に適宜設計変更可能である。
【００３６】
取着体２の頭部側端部に取り付けられた防寒体３は、延設片である２つの三角片３ａ、３ｂから構成され、この三角片３ａ、３ｂのそれぞれ長辺側が、取着体２の中央において三角片３ａ、３ｂ同士が一部が重なり合うようにして取着体２に取り付けられ、三角片３ａ、３ｂ同士の重ね合わせ部３ｃが形成されている。また、防寒体３は、その取着体取付側を除く周囲において周縁部から若干の間隔をあけて帯状に縫着することにより中空の肉薄部３ｄが形成されている。また、この中空の肉薄部３ｄの内方側は充填材ｂが挿入口３ｅから出し入れ可能に収納されており、肉厚部３ｆを形成している。このように防寒体３は全体的に袋状をなすものである。なお、収納される充填材ｂは嵩張らないようにキルティングを施した包装状態のものを使用するのが好ましい。また、このキルティングを施すことにより、使用時においてキルティングに沿って自然に折れ曲がり易くなり、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部３ｆは充填材ｂを出し入れ可能にしたので、充填材ｂを取り出せば防寒具１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００３７】
上記のように防寒具１を構成すると、図６及び図７に示すように、防寒体３における三角片３ａ、３ｂが仰臥状態にある人の両肩を覆う状態となり、肉厚部３ｆが両肩部に位置して保温性を確保すると共に、肉薄部が肉厚部の周囲から垂下して隙間を埋める機能を果たす。これにより肩口から外気が侵入するのを完全に遮断することができ、防寒効果を十分に発揮できる。また、図８及び図９に示すように、横臥状態であっても、肩口は重ね合わせ部３ｃで覆われ、首の前側及び後側は肉薄部３ｄによって隙間が埋められるので、首回りから外気が入るのを完全に遮断することができ、防寒効果を十分に発揮できる。そして、図に示すように三角片３ａ、３ｂの中央から首を出すようにして使用するので、重ね合わせ部３ｃが丁度着物を着用したときの襟の合わせと同じような状態となり、重ね合わせ部３ｃが首回りに沿うので、図６及び図７に示す仰臥状態から図８及び図９に示す横臥状態のように頭部が動いても襟元がずれにくく、また、この重ね合わせ部３ｃにおいては一方の肉薄部がずれても他方の肉薄部で覆われるので、互いに補完し合う効果があり、保温性をより一層確保できる。
【００３８】
［第２の実施例］
図１０は掛け布団用の防寒具の第２の実施例を示す平面図であり、ダブルの掛け布団用に構成したものである。図において２１は当該防寒具を示し、防寒具２１は掛け布団に取着するための取着体２２と取着体２２に取り付けられた防寒体２３とから構成される。
【００３９】
取着体２２は、幅１９０ｃｍ、長さ１００ｃｍであってダブル用の掛け布団に適合するサイズであり、ダブル用の掛け布団に対して当該防寒具２１の着脱を容易とするために、掛け布団の頭部側を覆い包む袋状をなしており、取着体２２の開放側縁部２２ｃにはゴム紐２２ｄを縫着して開放側縁部２２ｃに伸縮性を付与し、掛け布団への装着時に掛け布団から取着体２２がずれないように工夫がなされている。なお、ずれ止めとしては、図示は省略するが、適宜の係止具、例えば、掛け布団の一部を掴むクリップ等の係合部材を使用することができる。また、取着体２２の長さは前記の１００ｃｍに限られるものではなく、場合に応じて３０ｃｍ以下や１００ｃｍ以上に適宜設計変更可能である。
【００４０】
また、取着体２２の両側部には幅２０ｃｍの中空の補助防寒体２２ａ、２２ｂがそれぞれ設けられている。この補助防寒体２２ａ、２２ｂは、就寝中に寝返りをうったときなどの場合に掛け布団の側部が持ち上がって隙間が生じるようなことがあっても、前記の補助防寒体２２ａ、２２ｂが掛け布団の側部から垂下して隙間を塞ぎ冷気の侵入を遮断するので保温効果がある。しかも、このような構成にすると、掛け布団の幅が補助防寒体２２ａ、２２ｂの分だけ実質的に大きくなる。この補助防寒体２２ａ、２２ｂは充填材の出し入れが可能となっており、補助防寒体２２ａ、２２ｂに充填材を収納した場合には、補助防寒体２２ａ、２２ｂが掛け布団を一回り大きいサイズの掛け布団に変形させる効果があり、体格の個人差により通常のダブルの掛け布団の幅１９０ｃｍでは少し幅が狭いと感じる場合等にも対応できる利点がある。
【００４１】
取着体２２の頭部側端部に取り付けられた防寒体２３は、延設片である左右の三角片２３ａ、２３ｂと中央の台形片２３ｇとから構成され、この三角片２３ａ、２３ｂ及び台形片２３ｇのそれぞれ長辺側が、この三角片２３ａと台形片２３ｇ、台形片２３ｇと三角片２３ｂとがそれぞれその一部が重なり合うように取着体２２に取り付けられ、重ね合わせ部２３ｃが形成されている。また、防寒体２３は、その取着体取付側を除く周囲において周縁部から若干の間隔をあけて帯状に縫着することによって中空の肉薄部２３ｄが形成されている。また、この中空の肉薄部２３ｄの内方側は充填材が挿入口２３ｅから出し入れ可能に収納されており、肉厚部２３ｆを形成している。このように防寒体２３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易くなり、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部２３ｆは充填材を出し入れ可能にしたので、充填材を取り出せば防寒具２１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００４２】
なお、第２の実施例における防寒具２１の使用状態については第１の実施例における図２〜図９とほぼ同じなので、その説明は省略する。
【００４３】
以上のように第２の実施例における掛け布団用防寒具２１は、ダブルの布団用に適しており、一方の三角片２３ａと台形片２３ｇとで１人分の防寒具が構成され、他方の三角片２３ｂと台形片２３ｇとでもう１人分の防寒具が構成される。
【００４４】
［第３の実施例］
図１１は掛け布団用の防寒具の第３の実施例を示す平面図であり、やや幅広のシングルの掛け布団用に構成したものである。図において３１は当該防寒具を示し、防寒具３１は掛け布団に取着するための取着体３２と取着体３２に取り付けられた防寒体３３とから構成される。
【００４５】
取着体３２は、幅１９０ｃｍ、長さ１００ｃｍであって、掛け布団に対して当該防寒具３１の着脱を容易とするために、掛け布団の頭部側を覆い包む袋状をなしており、取着体３２の開放側縁部３２ｃにはゴム紐３２ｄを縫着して開放側縁部３２ｃに伸縮性を付与し、掛け布団への装着時に掛け布団から取着体３２がずれないように工夫がなされている。なお、ずれ止めとしては、図示は省略するが、適宜の係止具、例えば、掛け布団の一部を掴むクリップ等の係合部材を使用することができる。また、取着体３２の長さは前記の１００ｃｍに限られるものではなく、場合に応じて３０ｃｍ以下や１００ｃｍ以上に適宜設計変更可能である取着体３２の頭部側端部に取り付けられた防寒体３３は、延設片である２つの三角片３３ａ、３３ｂから構成され、この三角片３３ａ、３３ｂのそれぞれ長辺側が、取着体３２の中央において三角片３３ａ、３３ｂ同士が一部が重なり合うようにして取着体３２に取り付けられ、三角片３３ａ、３３ｂ同士の重ね合わせ部３３ｃが形成されている。また、防寒体３３は、その取着体取付側を除く周囲において周縁部から若干の間隔をあけて帯状に縫着することにより中空の肉薄部３３ｄが形成されている。また、この中空の肉薄部３３ｄの内方側は充填材が挿入口３３ｅから出し入れ可能に収納されており、肉厚部３３ｆを形成している。このように防寒体３３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部３３ｆは充填材を出し入れ可能にしたので、充填材を取り出せば防寒具３１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００４６】
なお、第３の実施例における防寒具３１の使用状態については第１の実施例における図２〜図９とほぼ同じなので、その説明は省略する。
【００４７】
以上のように第３の実施例における掛け布団用防寒具３１は、やや体格の大きい人のための掛け布団に適するものとなる。
【００４８】
［第４の実施例］
図１２は掛け布団用の防寒具の第４の実施例を示す平面図であり、子供の掛け布団用に構成したものである。図において４１は当該防寒具を示し、防寒具４１は掛け布団に取着するための取着体４２と取着体４２に取り付けられた防寒体４３とから構成される。
【００４９】
取着体４２は、幅１３０ｃｍ、長さ６５ｃｍであって、掛け布団に対して当該防寒具４１の着脱を容易とするために、掛け布団の頭部側を覆い包む袋状をなしており、取着体４２の開放側縁部４２ｃにはゴム紐４２ｄを縫着して開放側縁部４２ｃに伸縮性を付与し、掛け布団への装着時に掛け布団から取着体４２がずれないように工夫がなされている。なお、ずれ止めとしては、図示は省略するが、適宜の係止具、例えば、掛け布団の一部を掴むクリップ等の係合部材を使用することができる。また、取着体２の長さは前記の６５ｃｍに限られるものではなく、場合に応じて３０ｃｍ以下や１００ｃｍ以上に適宜設計変更可能である
また、取着体４２の両側部には幅１０ｃｍの中空の補助防寒体４２ａ、４２ｂがそれぞれ設けられている。この補助防寒体４２ａ、４２ｂは、就寝中に寝返りをうったときに掛け布団の側部が持ち上がって隙間が生じるようなことがあっても、前記の補助防寒体４２ａ、４２ｂが掛け布団の側部から垂下して隙間を塞ぎ冷気の侵入を遮断するので保温効果がある。特に子供は頻繁に寝返りをうつのでこの構成は子供用の掛け布団として適切であり、しかも、このような構成にすると、掛け布団の幅が補助防寒体の分だけ実質的に大きくなるので、子供が成長するに従って掛け布団のサイズが子供用から大人用に変わる過渡期の成育途上にある状態においては掛け布団の幅の調節が可能となる利点がある。
【００５０】
取着体４２の頭部側端部に取り付けられた防寒体４３は、延設片である２つの三角片４３ａ、４３ｂから構成され、この三角片４３ａ、４３ｂのそれぞれ長辺側が、取着体４２の中央において三角片４３ａ、４３ｂ同士が一部が重なり合うようにして取着体４２に取り付けられ、三角片４３ａ、４３ｂ同士の重ね合わせ部４３ｃが形成されている。また、防寒体４３は、その取着体取付側を除く周囲において周縁部から若干の間隔をあけて帯状に縫着することによって中空の肉薄部４３ｄが形成されている。また、この中空の肉薄部４３ｄの内方側は充填材が挿入口４３ｅから出し入れ可能に収納されており、肉厚部４３ｆを形成している。このように防寒体４３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部４３ｆは充填材を出し入れ可能にしたので、充填材を取り出せば防寒具４１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００５１】
なお、第４の実施例における防寒具４１の使用状態については第１の実施例における図２〜図９とほぼ同じなので、その説明は省略する。
【００５２】
以上のように第４の実施例における掛け布団用防寒具４１は、子供の掛け布団に適するものとなる。
【００５３】
［第５の実施例］
図１３は掛け布団用の防寒具の第５の実施例を示す平面図であり、シングルの掛け布団用に構成したものである。図において５１は当該防寒具を示し、防寒具５１は掛け布団に取着するための取着体５２と取着体５２に取り付けられた防寒体５３とから構成される。
【００５４】
取着体５２は、幅１５０ｃｍ、長さ２１０ｃｍであって、掛け布団全体の頭部側から足元部側までを覆い包む袋状をなしており、取着体５２が掛け布団カバーの機能を果たし、掛け布団に対して取着体が完全に固定されるようになっている。
【００５５】
また、取着体５２の両側部には幅２０ｃｍの中空の補助防寒体５２ａ、５２ｂがそれぞれ設けられている。この補助防寒体５２ａ、５２ｂは、就寝中に寝返りをうったときに掛け布団の側部が持ち上がって隙間が生じるようなことがあっても、前記の補助防寒体５２ａ、５２ｂが掛け布団の側部から垂下して隙間を塞ぎ冷気の侵入を遮断するので保温効果がある。また、取着体５２の足元部には中空の幅２０ｃｍの補助防寒体５２ｃが設けられている。そして、この補助防寒体５２ａ、５２ｂ、５２ｃは充填材の出し入れが可能となっており、補助防寒体５２ａ、５２ｂ、５２ｃに充填材を収納した場合には、補助防寒体５２ａ、５２ｂ、５２ｃが掛け布団を一回り大きいサイズの掛け布団に変形させる効果があり、体格の個人差により通常のシングルの掛け布団の幅１５０ｃｍでは少し幅が狭いと感じる大柄の人の場合等にも対応できる利点がある。また、掛け布団の長さが補助防寒体５２ｃの分だけ実質的に大きくなるので、身長が高い人に対しても十分に対応できる利点がある。
【００５６】
取着体５２の頭部側端部に取り付けられた防寒体５３は、延設片である２つの三角片５３ａ、５３ｂから構成され、この三角片５３ａ、５３ｂのそれぞれ長辺側が、取着体５２の中央において三角片５３ａ、５３ｂ同士が一部が重なり合うようにして取着体５２に取り付けられ、三角片５３ａ、５３ｂ同士の重ね合わせ部５３ｃが形成されている。また、防寒体５３は、その取着体取付側を除く周囲において周縁部から若干の間隔をあけて帯状に縫着することによって中空の肉薄部５３ｄが形成されている。また、この中空の肉薄部５３ｄの内方側は充填材が挿入口５３ｅから出し入れ可能に収納されており、肉厚部５３ｆを形成している。このように防寒体５３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部５３ｆは充填材を出し入れ可能にしたので、充填材を取り出せば防寒具５１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００５７】
なお、第５の実施例における防寒具５１の使用状態については第１の実施例における図２〜図９とほぼ同じなので、その説明は省略する。
【００５８】
以上のように第５の実施例における掛け布団用防寒具５１を構成すると、体格がやや大きい人が普通サイズの掛け布団を使用しても防寒効果を十分に果たしうるものである。
【００５９】
［第６の実施例］
図１４は掛け布団用の防寒具の第６の実施例を示す平面図であり、ダブルの掛け布団用に構成したものである。図において６１は当該防寒具を示し、防寒具６１は掛け布団に取着するための取着体６２と取着体６２に取り付けられた防寒体６３とから構成される。
【００６０】
取着体６２は、幅１９０ｃｍ、長さ２１０ｃｍであってダブル用の掛け布団に適合するサイズであり、掛け布団全体の頭部側から足元部側までを覆い包む袋状をなしており、取着体６２が掛け布団カバーの機能を果たし、掛け布団に対して取着体が完全に固定されるようになっている。
【００６１】
また、取着体６２の両側部には幅２０ｃｍの中空の補助防寒体６２ａ、６２ｂがそれぞれ設けられている。この補助防寒体６２ａ、６２ｂは、就寝中に寝返りをうったときに掛け布団の側部が持ち上がって隙間が生じるようなことがあっても、前記の補助防寒体６２ａ、６２ｂが掛け布団の側部から垂下して隙間を塞ぎ冷気の侵入を遮断するので保温効果がある。また、取着体６２の足元部には中空の幅２０ｃｍの補助防寒体６２ｃが設けられている。そして、この補助防寒体６２ａ、６２ｂ、６２ｃは充填材の出し入れが可能となっており、補助防寒体６２ａ、６２ｂ、６２ｃに充填材を収納した場合には、補助防寒体６２ａ、６２ｂ、６２ｃが掛け布団を一回り大きいサイズの掛け布団に変形させる効果があり、体格の個人差により通常のダブルの掛け布団の幅１９０ｃｍでは少し幅が狭いと感じる場合等にも対応できる利点がある。また、掛け布団の長さが補助防寒体６２ｃの分だけ実質的に大きくなるので、身長が高い人に対しても十分に対応できる利点がある。
【００６２】
取着体６２の頭部側端部に取り付けられた防寒体６３は、延設片である左右の三角片６３ａ、６３ｂと中央の台形片６３ｇとから構成され、この三角片６３ａ、６３ｂ及び台形片６３ｇのそれぞれ長辺側が、この三角片６３ａと台形片６３ｇ、台形片６３ｇと三角片６３ｂとがそれぞれその一部が重なり合うように取着体６２に取り付けられ、重ね合わせ部６３ｃが形成されている。また、防寒体６３は、その取着体取付側を除く周囲において周縁部から若干の間隔をあけて帯状に縫着することによって中空の肉薄部６３ｄが形成されている。また、この中空の肉薄部６３ｄの内方側は充填材が挿入口６３ｅから出し入れ可能に収納されており、肉厚部６３ｆを形成している。このように防寒体６３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部６３ｆは充填材を出し入れ可能にしたので、充填材を取り出せば防寒具６１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００６３】
なお、第６の実施例における防寒具６１の使用状態については第１の実施例における図２〜図９とほぼ同じなので、その説明は省略する。
【００６４】
以上のように第６の実施例における掛け布団用防寒具６１を構成すると、ダブルの布団用に適しており、一方の三角片６３ａと台形片６３ｇとで１人分の防寒具が構成され、他方の三角片６３ｂと台形片６３ｇとでもう１人分の防寒具が構成される。
【００６５】
［第７の実施例］
図１５は掛け布団用の防寒具の第７の実施例を示す平面図であり、やや幅広のシングルの掛け布団用に構成したものである。図において７１は当該防寒具を示し、防寒具７１は掛け布団に取着するための取着体７２と取着体７２に取り付けられた防寒体７３とから構成される。
【００６６】
取着体７２は、幅１９０ｃｍ、長さ２１０ｃｍであって、掛け布団全体の頭部側から足元部側までを覆い包む袋状をなしており、取着体７２が掛け布団カバーの機能を果たし、掛け布団に対して取着体が完全に固定されるようになっている。
【００６７】
また、取着体７２の足元部には中空の幅２０ｃｍの補助防寒体７２ｃが設けられており、掛け布団の長さが補助防寒体７２ｃの分だけ実質的に大きくなるので、身長が高い人に対しても十分に対応できる。この補助防寒体７２ｃは充填材の出し入れが可能となっており、補助防寒体７２ｃに充填材を収納した場合には、補助防寒体７２ｃが掛け布団を一回り大きいサイズの掛け布団に変形させる効果があり掛け布団の長さが補助防寒体７２ｃの分だけ実質的に大きくなるので、身長が高い人に対しても十分に対応できる利点がある。
【００６８】
取着体７２の頭部側端部に取り付けられた防寒体７３は、延設片である２つの三角片７３ａ、７３ｂとから構成され、この三角片７３ａ、７３ｂのそれぞれ長辺側が、取着体７２の中央において三角片７３ａ、７３ｂ同士が一部が重なり合うようにして取着体７２に取り付けられ、三角片７３ａ、７３ｂ同士の重ね合わせ部７３ｃが形成されている。また、防寒体７３は、その取着体取付側を除く周囲において周縁部から若干の間隔をあけて帯状に縫着することによって中空の肉薄部７３ｄが形成されている。また、この中空の肉薄部７３ｄの内方側は充填材が挿入口７３ｅから出し入れ可能に収納されており、肉厚部７３ｆを形成している。このように防寒体７３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部７３ｆは充填材を出し入れ可能にしたので、充填材を取り出せば防寒具７１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００６９】
なお、第７の実施例における防寒具７１の使用状態については第１の実施例における図２〜図９とほぼ同じなので、その説明は省略する。
【００７０】
以上のように第７の実施例における掛け布団用防寒具７１を構成すると、やや体格の大きい人のための掛け布団に適するものとなる。
【００７１】
［第８の実施例］
図１６は掛け布団用の防寒具の第８の実施例を示す平面図であり、子供の掛け布団用に構成したものである。図において８１は当該防寒具を示し、防寒具８１は掛け布団に取着するための取着体８２と取着体８２に取り付けられた防寒体８３とから構成される。
【００７２】
取着体８２は、幅１３０ｃｍ、長さ１８０ｃｍであって、掛け布団全体の頭部側から足元部側までを覆い包む袋状をなしており、取着体８２が掛け布団カバーの機能を果たし、掛け布団に対して取着体が完全に固定されるようになっている。
【００７３】
また、取着体８２の両側部には幅１０ｃｍの中空の補助防寒体８２ａ、８２ｂがそれぞれ設けられている。この補助防寒体８２ａ、８２ｂは、就寝中に寝返りをうったときに掛け布団の側部が持ち上がって隙間が生じるようなことがあっても、前記の補助防寒体８２ａ、８２ｂが掛け布団の側部から垂下して隙間を塞ぎ冷気の侵入を遮断するので保温効果がある。特に子供は頻繁に寝返りをうつのでこの構成は子供用の掛け布団として適切である。また、取着体８２の足元部には中空の幅２０ｃｍの補助防寒体８２ｃが設けられている。
【００７４】
この補助防寒体８２ａ、８２ｂ、８２ｃは充填材の出し入れが可能となっており、補助防寒体８２ａ、８２ｂ、８２ｃに充填材を収納した場合には、補助防寒体８２ａ、８２ｂ、８２ｃが掛け布団を一回り大きいサイズの掛け布団に変形させる効果があり、体格の個人差により通常の子供の掛け布団の幅１３０ｃｍでは少し幅が狭いと感じる場合等にも対応できる利点がある。また、掛け布団の長さが補助防寒体８２ｃの分だけ実質的に大きくなるので、身長が高い子供に対しても十分に対応できる利点がある。しかも、子供が成長するに従って布団のサイズが子供用から大人用に変わる過渡期の成育途上にある状態においては掛け布団の幅及び長さの調節が可能となる利点があり、子供用の掛け布団に適切である。
【００７５】
取着体８２の頭部側端部に取り付けられた防寒体８３は、延設片である２つの三角片８３ａ、８３ｂから構成され、この三角片８３ａ、８３ｂのそれぞれ長辺側が取着体８２に取り付けられており、取着体８２の中央において三角片８３ａ、８３ｂ同士が一部が重なり合うようにして取着体４２に取り付けられ、三角片８３ａ、８３ｂ同士の重ね合わせ部８３ｃが形成されている。また、防寒体８３は、その取着体取付側を除く周囲において周縁部から若干の間隔をあけて帯状に縫着されており、中空の肉薄部８３ｄが形成されている。また、この中空の肉薄部８３ｄの内方側は充填材が挿入口８３ｅから出し入れ可能に収納されており、肉厚部８３ｆを形成している。このように防寒体８３は全体的に袋状をなすものである。なお、収納される充填材は嵩張らないようにキルティングを施した包装状態のものを使用するのが好ましい。なお、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部８３ｆは充填材を出し入れ可能にしたので、充填材を取り出せば防寒具８１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００７６】
なお、第８の実施例における防寒具８１の使用状態については第１の実施例における図２〜図９とほぼ同じなので、その説明は省略する。
【００７７】
以上のように第８の実施例における掛け布団用防寒具８１を構成すると、子供の掛け布団に適するものとなる。
【００７８】
［第９の実施例］
図１７は掛け布団用防寒具の平面図であり、図１８は当該防寒具を掛け布団に装着した状態の部分断面図である。
【００７９】
本実施例は、シングルの掛け布団用に設計したものであって、９１は防寒具を示し、防寒具９１は掛け布団ａに取着するための取着体９２と取着体９２に取り付けられた防寒体９３とから構成される。
【００８０】
取着体９２は、幅１５０ｃｍ、長さ１０ｃｍであって、シングル用の掛け布団ａの頭部側端部を覆い包む袋状をなす縁カバー９２ｆを備えており、この縁カバー９２ｆにより掛け布団の体裁を向上させると共に掛け布団ａに対して当該防寒具９１の着脱が容易となる効果がある。そして、取着体９２における縁カバー９２ｆの内側には、複数の係合部材９２ａが取り付けられている。すなわち、図１８に示すように、縁カバー９２ｆの内側には小さいループ状紐９２ｂが縫着されており、係合部材９２ａはフック部９２ｃとクリップ部９２ｄとから構成されており、フック部９２ｃをループ状紐９２ｂに取着することにより、係合部材９２ａが縁カバー９２ｆに取着され、この縁カバー９２ｆと係合部材９２ａとで取着体９２が構成される。そして、前記クリップ部９２ｄにより掛け布団ａの頭部側端縁ａ１を挟み込むことにより、係合部材９２ａが掛け布団ａに取着される。このようにして、掛け布団ａは取着体９２に取着される。なお、縁カバー９２ｆの長さは前記の１０ｃｍに限られるものではなく、体裁上及び感触上前記係合部材９２ａが隠れ、掛け布団ａの端部を覆うことができればよく、場合に応じて５〜２０ｃｍの範囲で適宜設計変更可能である。
【００８１】
取着体９２の頭部側端部に取り付けられた防寒体９３は、延設片である２つの三角片９３ａ、９３ｂから構成され、この三角片９３ａ、９３ｂのそれぞれ長辺側が、取着体９２の中央において三角片９３ａ、９３ｂ同士が一部が重なり合うようにして取着体９２に取り付けられ、三角片９３ａ、９３ｂ同士の重ね合わせ部９３ｃが形成されている。また、防寒体９３は、その取着体取付側を除く周囲において周縁部から若干の間隔をあけて帯状に縫着することにより中空の肉薄部９３ｄが形成されている。また、この中空の肉薄部９３ｄの内方側は充填材ｂが挿入口９３ｅから出し入れ可能に収納されており、肉厚部９３ｆを形成している。このように防寒体９３は全体的に袋状をなすものである。なお、収納される充填材ｂは嵩張らないようにキルティングを施した包装状態のものを使用するのが好ましい。また、このキルティングを施すことにより、使用時においてキルティングに沿って自然に折れ曲がり易くなり、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。また、肉厚部９３ｆは充填材ｂを出し入れ可能にしたので、充填材ｂを取り出せば防寒具９１を容易に洗濯できる効果がある。なお、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００８２】
なお、第９の実施例における防寒具９１の使用状態については第１の実施例における図２〜図９とほぼ同じなので、その説明は省略する。
【００８３】
上記のように防寒具９１を構成すると、コンパクトであり、かつ、着脱が容易な上に、固定状態が安定する効果がある。
【００８４】
なお、本実施例における取着体９２に関して、袋状の縁カバー９２ｆを備えない構成、すなわち防寒体９３の掛け布団に取着する側縁にループ状紐９３ｂを取着し、これに係合部材９２ａを取着した構成を取着体としてもよい。さらに、袋状の縁カバー９２ｆ及び係合部材９２ａを設けずに、防寒体９３の掛け布団に取着する側縁に縫い代部を設け、この縫い代部を取着体として、必要に応じて掛け布団に直接縫着し、不要時に縫着を解くようにしてもよい。
【００８５】
また、本実施例における係合部材９２ａは、第１〜第４の実施例の説明において触れたように、これを採用して、さらに取着体の掛け布団に対する固定状態が安定するようにしてもよい。
【００８６】
なお、上記第１〜第９の実施例における掛け布団用防寒具は掛け布団に対して着脱自在であるから、現在使用中の掛け布団に当該防寒具を使用することができ、また、取着体から掛け布団を取り外し、防寒体及び補助防寒体に充填材が収納されていない状態にすれば、容易に洗濯をすることができるので汚れにも即座に対応できる利点がある。
【００８７】
［第１０の実施例］
図１９は防寒具を備えた掛け布団１００の実施例を示す斜視図である。
【００８８】
この第１０の実施例は、シングルの掛け布団用に設計したものであって、防寒具は、掛け布団ａの長手方向の一方の辺、すなわち頭部側に取り付けられる防寒体１０３と掛け布団ａの幅方向両側及び足元側に取り付けられる補助防寒体とから構成される。
【００８９】
補助防寒体として掛け布団ａの両側部には幅２０ｃｍの中空の補助防寒体１０２ａ、１０２ｂがそれぞれ設けられている。この補助防寒体１０２ａ、１０２ｂは、就寝中に寝返りをうったときに掛け布団の側部が持ち上がって隙間が生じるようなことがあっても、前記の補助防寒体１０２ａ、１０２ｂが掛け布団の側部から垂下して隙間を塞ぎ冷気の侵入を遮断するので保温効果がある。しかも、このような構成にすると、掛け布団の幅が補助防寒体１０２ａ、１０２ｂの分だけ実質的に大きくなる。
【００９０】
また、補助防寒体として掛け布団ａの足元部には中空の幅２０ｃｍの補助防寒体１０２ｃが設けられており、掛け布団の長さが補助防寒体１０２ｃの分だけ実質的に大きくなるので、身長が高い人に対しても十分に対応できる。
【００９１】
この補助防寒体１０２ａ、１０２ｂ、１０２ｃは充填材の出し入れが可能となっており、補助防寒体１０２ａ、１０２ｂ、１０２ｃに充填材を収納した場合には、補助防寒体１０２ａ、１０２ｂ、１０２ｃが掛け布団を一回り大きいサイズの掛け布団に変形させる効果があり、体格の個人差により通常のシングルの掛け布団の幅１５０ｃｍでは少し幅が狭いと感じる場合等にも対応できる利点がある。また、掛け布団の長さが補助防寒体１０２ｃの分だけ実質的に大きくなるので、身長が高い人に対しても十分に対応できる利点がある。
【００９２】
掛け布団ａの頭部側に取り付けられた防寒体１０３は、延設片である２つの三角片１０３ａ、１０３ｂから構成され、この三角片１０３ａ、１０３ｂのそれぞれ長辺側が掛け布団ａに取り付けられており、掛け布団ａの中央において三角片１０３ａ、１０３ｂ同士が一部が重なり合うようにして掛け布団ａに取り付けられ、三角片１０３ａ、１０３ｂ同士の重ね合わせ部１０３ｃが形成されている。また、防寒体１０３は、その掛け布団取付側を除く周囲において周縁部から若干の間隔をあけて帯状に縫着することによって中空の肉薄部１０３ｄが形成されている。また、この中空の肉薄部１０３ｄの内方側は充填材が挿入口１０３ｅから出し入れ可能に収納されており、肉厚部１０３ｆを形成している。このように防寒体１０３は全体的に袋状をなすものである。なお、収納される充填材は嵩張らないようにキルティングを施した包装状態のものを使用するのが好ましい。また、このキルティングを施すことにより、使用時においてキルティングに沿って自然に折れ曲がり易く、首回りや肩口におけるフィット感を向上させる効果を果たすことができる。この充填材ｂに包装される充填物は合成繊維、天然繊維又は動物繊維からなる綿や羽毛等の寝具に一般に使用される充填物を使用する。なお、肉厚部１０３ｆは充填材を出し入れ可能にしたので、状況に応じて充填材を収納する場合と収納しない場合とに使い分けをすることができ、充填材ｂを取り出せば防寒具９１を容易に洗濯できる効果がある。また、前記のように防寒体全体を袋状に形成せず、肉厚部だけを袋状に形成して充填材を出し入れ可能に収納又は封入し、肉薄部は一枚物の生地で構成してもよく、また、防寒体における肉厚部を厚地の生地で、肉薄部を薄地の生地で一体的に構成した一枚物を使用してもよい。さらに防寒体を厚みの変化のない１枚ものの毛布等の生地で構成してもよい。
【００９３】
なお、第１０の実施例における防寒具を備えた掛け布団１００の使用状態については第１の実施例における図２〜図９とほぼ同じなので、その説明は省略する。
【００９４】
以上のように第１０の実施例における防寒具を備えた掛け布団１００を構成すると、肩口からの外気の侵入が完全遮断でき、しかも、体格がやや大きい人が普通サイズの掛け布団を使用しても防寒効果を十分に果たしうるものである。
【００９５】
なお、上記第１０の実施例に示す構成以外に、第１〜第９の実施例における防寒体及び補助防寒体の双方又はいずれか一方を取着した掛け布団を構成してもよい。このように構成すると、防寒体及び補助防寒体が奏する効果を享受できる利点がある。なお、この場合は防寒体及び補助防寒体を掛け布団から取り外すことができないが、布団カバーを工夫すれば、通常の掛け布団のように布団カバーを取り替えるだけで汚れ等に対応することができる。したがって、布団は矩形であるという布団に対する固定観念を払拭する革命的な掛け布団が構成される。
【００９６】
また、上記第１〜第１０の実施例において延設片の具体例として三角片や台形片を示したが、この形状に限られるものではなく、紡錘形、半円形、防滴形などの種々の形状のものを採用してもよい。
【００９７】
さらに、上記の各実施例における寸法の具体的数値は単なる一例であって、適宜変更してもよい。
【００９８】
なお、本発明は、上記の各実施例の構成に限定されるものではなく、特許請求の範囲に記載した範囲を逸脱しない広範囲の実施形態を包含するものである。
【００９９】
【発明の効果】
本発明に係る掛け布団用防寒具は、掛け布団に取着するための取着体と、該取着体に取り付けられた防寒体とから構成され、防寒体は、取着体取付側を除く周囲が肉薄部であり、肉薄部より内方側は肉厚部であることを特徴とするものである。
【０１００】
このように構成したことにより、掛け布団の使用中に、防寒体の肉厚部で保温性を確保することができ、肉薄部で掛け布団と肩口等との隙間を埋めることにより肩口等からの外気の侵入を遮断することができるので、防寒効果を十分に発揮し得る。
【０１０１】
前記取着体を、掛け布団に着脱自在な係合部材を備えた構造としてもよい。その場合は、掛け布団に対して取着体が容易に固定され、また、容易に取り外すことができるので便利である。
【０１０２】
また前記取着体を、掛け布団の少なくとも頭部側を覆い包む袋体とする構成としてもよい。その場合には、取着体を掛け布団に対して着脱が容易となるので便利である。
【０１０３】
さらに前記取着体を掛け布団全体を覆い包む袋体とする構成としてもよい。その場合は、取着体が掛け布団カバーの機能を果たし、掛け布団に対して取着体が完全に固定される利点がある。
【０１０４】
前記防寒体において、その肉厚部を充填材の出し入れが可能な構成とし、充填材を挿入したときに肉厚部となる構成としてもよい。その場合は、充填材を取り出せば容易に洗濯ができる効果がある。
【０１０５】
また前記防寒体を複数の延設片から構成し、延設片の取着体取付側において、延設片同士の一部を重ね合わせた重ね合わせ部を設けて、取着体に取着する構成としてもよい。その場合は、重ね合わせ部から頭を出すようにして使用すれば、頭部が動いても襟元がずれにくく、かつ、重ね合わせ部の一方がずれるようなことがあっても、他方で覆われる。なお、延設片の形状としては、三角片、台形、紡錘形、半円形、防滴形などの種々の形状のものが使用でき、また、個数や組合せも種々変更可能であり、雅趣に富んだものを構成することができる。
【０１０６】
前記延設片として２つの三角片から構成し、三角片の長辺側を取着体取付側とする構成としてもよい。その場合は、シングル用の掛け布団に相応しく、２つの三角片の中央から首を出すように使用すれば、前記の重ね合わせ部が着物における襟の合わせと同様の効果、すなわち、頭部が動いても襟元がずれにくく、かつ、重ね合わせ部の一方がずれることがあっても、他方で覆われるという補完効果が期待できるので、より一層保温効果を発揮することができる。
【０１０７】
また前記延設片として左右の三角片と中央の台形片とから構成され、前記三角片及び台形片の長辺側を取着体取付側とする構成としてもよい。その場合は、ダブル用の掛け布団に相応しく、一方の三角片と台形片とで１人分の防寒具が構成され、他方の三角片と台形片とでもう１人分の防寒具が構成されるので便利である。
【０１０８】
前記取着体の両側部に中空の補助防寒体を設けた構成としてもよい。その場合は、就寝中に寝返りをうったときなどのように掛け布団の側部が持ち上がって隙間が生じるようなことがあっても、前記の補助防寒体が掛け布団の側部から垂下して隙間を塞ぎ冷気の侵入を遮断するので保温効果がある。特に子供は頻繁に寝返りをうつのでこの構成は子供用の掛け布団としても適切であり、しかも、このような構成にすると、掛け布団の幅が補助防寒体の分だけ実質的に大きくなるので、子供が成長するに従って掛け布団のサイズが子供用から大人用に変わる過渡期の成育途上にある状態においては掛け布団の幅の調節が可能となる利点がある。
【０１０９】
また前記取着体の足元部に中空の補助防寒体を設けた構成としてもよい。その場合は、掛け布団の長さが補助防寒体の分だけ実質的に大きくなるので、身長が高い人あるいは成長期にある子供に対しても十分に対応できる。例えば通常の掛け布団の長さが２１０ｃｍであり、補助防寒体の長さが２０ｃｍとすると実質的には２３０ｃｍとなるので、身長が１８０ｃｍ以上の人でも十分に対応することができ、また、子供が成長するに従って布団のサイズが子供用から大人用に変わる過渡期の成育途上にある状態において着かけ布団の長さの調節が可能となる利点があるので、子供用の掛け布団にも適切である。
【０１１０】
前記補助防寒体に充填材の出し入れを可能にした構成としてもよい。その場合は、補助防寒体に充填材を収納した場合には、補助防寒体が掛け布団を一回り大きいサイズの掛け布団に変形させる効果があり、体格の個人差により通常のダブルの掛け布団の幅１９０ｃｍでは少し幅が狭いと感じる場合等にも対応できる利点がある。
【０１１１】
なお、上記の掛け布団用防寒具は掛け布団に対して着脱自在であるから、現在使用中の掛け布団に当該防寒具を使用することができ、また、取着体から掛け布団を取り外し、防寒体及び補助防寒体に充填材が収納されていない状態にすれば、容易に洗濯をすることができるので汚れにも即座に対応できる利点がある。
【０１１２】
また、上記の防寒体及び補助防寒体の双方又はいずれか一方を取着した掛け布団を構成してもよい。このように構成すると、防寒体及び補助防寒体が奏する効果を享受できる利点がある。なお、この場合は防寒体及び補助防寒体を掛け布団から取り外すことができないが、布団カバーを工夫すれば、通常の掛け布団のように布団カバーを取り替えるだけで汚れ等に対応することができる。したがって、布団は矩形であるという布団に対する固定観念を払拭する革命的な掛け布団が構成される。
【図面の簡単な説明】
【図１】本発明の第１の実施例に係る掛け布団用防寒具の平面図である。
【図２】本発明の第１の実施例に係る掛け布団用防寒具の防寒体の構造を示す一部省略斜視図である。
【図３】図１のＡ−Ａ線断面図である。
【図４】本発明の第１の実施例に係る掛け布団用防寒具を掛け布団に装着した状態を示す斜視図である。
【図５】図４のＢ線部分断面図である。
【図６】本発明の第１の実施例に係る掛け布団用防寒具を装着した掛け布団を仰臥状態で使用した状態を示す部分斜視図ある。
【図７】図６の頭部側から見た使用状態図である。
【図８】本発明の第１の実施例に係る掛け布団用防寒具を装着した掛け布団を横臥状態で使用した状態を示す部分斜視図である。
【図９】図８の頭部側から見た使用状態図である。
【図１０】本発明の第２の実施例に係る掛け布団用防寒具の平面図である。
【図１１】本発明の第３の実施例に係る掛け布団用防寒具の平面図である。
【図１２】本発明の第４の実施例に係る掛け布団用防寒具の平面図である。
【図１３】本発明の第５の実施例に係る掛け布団用防寒具の平面図である。
【図１４】本発明の第６の実施例に係る掛け布団用防寒具の平面図である。
【図１５】本発明の第７の実施例に係る掛け布団用防寒具の平面図である。
【図１６】本発明の第８の実施例に係る掛け布団用防寒具の平面図である。
【図１７】本発明の第９の実施例に係る掛け布団用防寒具の平面図である。
【図１８】本発明の第９の実施例に係る掛け布団用防寒具を掛け布団に装着した状態の部分断面図である。
【図１９】本発明の第１０の実施例に係る防寒具を備えた掛け布団の斜視図である。
【符号の説明】
ａ・・・掛け布団                  ｂ・・・充填材
１・・・掛け布団用防寒具          ２・・・取着体
２ａ・・切り欠き窓                ２ｂ・・切り欠き窓
２ｃ・・開放側縁部                ２ｄ・・ゴム紐
３・・・防寒体                    ３ａ・・三角片
３ｂ・・三角片                    ３ｃ・・重ね合わせ部
３ｄ・・肉薄部                    ３ｅ・・挿入口
３ｆ・・肉厚部
２１・・掛け布団用防寒具          ２２・・取着体
２２ａ・補助防寒体                ２２ｂ・補助防寒体
２２ｃ・開放側縁部                ２２ｄ・ゴム紐
２３・・防寒体                    ２３ａ・三角片
２３ｂ・三角片                    ２３ｃ・重ね合わせ部
２３ｄ・肉薄部                    ２３ｅ・挿入口
２３ｆ・肉厚部                    ２３ｇ・台形片
３１・・掛け布団用防寒具          ３２・・取着体
３２ｃ・開放側縁部                ３２ｄ・ゴム紐
３３・・防寒体                    ３３ａ・三角片
３３ｂ・三角片                    ３３ｃ・重ね合わせ部
３３ｄ・肉薄部                    ３３ｅ・挿入口
３３ｆ・肉厚部
４１・・掛け布団用防寒具          ４２・・取着体
４２ａ・補助防寒体                ４２ｂ・補助防寒体
４２ｃ・開放側縁部                ４２ｄ・ゴム紐
４３・・防寒体                    ４３ａ・三角片
４３ｂ・三角片                    ４３ｃ・重ね合わせ部
４３ｄ・肉薄部                    ４３ｅ・挿入口
４３ｆ・肉厚部
５１・・掛け布団用防寒具          ５２・・取着体
５２ａ・補助防寒体                ５２ｂ・補助防寒体
５２ｃ・補助防寒体                ５３・・防寒体
５３ａ・三角片                    ５３ｂ・三角片
５３ｃ・重ね合わせ部              ５３ｄ・肉薄部
５３ｅ・挿入口                    ５３ｆ・肉厚部
６１・・掛け布団用防寒具          ６２・・取着体
６２ａ・補助防寒体                ６２ｂ・補助防寒体
６２ｃ・補助防寒体                ６３・・防寒体
６３ａ・三角片                    ６３ｂ・三角片
６３ｃ・重ね合わせ部              ６３ｄ・肉薄部
６３ｅ・挿入口                    ６３ｆ・肉厚部
６３ｇ・台形片
７１・・掛け布団用防寒具          ７２・・取着体
７２ｃ・補助防寒体                ７３・・防寒体
７３ａ・三角片                    ７３ｂ・三角片
７３ｃ・重ね合わせ部              ７３ｄ・肉薄部
７３ｅ・挿入口                    ７３ｆ・肉厚部
８１・・掛け布団用防寒具          ８２・・取着体
８２ａ・補助防寒体                ８２ｂ・補助防寒体
８２ｃ・補助防寒体                ８３・・防寒体
８３ａ・三角片                    ８３ｂ・三角片
８３ｃ・重ね合わせ部              ８３ｄ・肉薄部
８３ｅ・挿入口                    ８３ｆ・肉厚部
９１・・掛け布団用防寒具          ９２・・取着体
９２ａ・係合部材                  ９２ｂ・ループ状紐
９２ｃ・係合部材のフック部        ９２ｄ・係合部材のクリップ部
９２ｆ・縁カバー                  ９３・・防寒体
９３ａ・三角片                    ９３ｂ・三角片
９３ｃ・重ね合わせ部              ９３ｄ・肉薄部
９３ｅ・挿入口                    ９３ｆ・肉厚部
１００・・防寒具を備えた掛け布団  １０２ａ・補助防寒体
１０２ｂ・補助防寒体              １０２ｃ・補助防寒体
１０３・・防寒体                  １０３ａ・三角片
１０３ｂ・三角片                  １０３ｃ・重ね合わせ部
１０３ｄ・肉薄部                  １０３ｅ・挿入口
１０３ｆ・肉厚部
【図１】
2004267303.tif 000003
【図２】
2004267303.tif 000004
【図３】
2004267303.tif 000005
【図４】
2004267303.tif 000006
【図５】
2004267303.tif 000007
【図６】
2004267303.tif 000008
【図７】
2004267303.tif 000009
【図８】
2004267303.tif 000010
【図９】
2004267303.tif 000011
【図１０】
2004267303.tif 000012
【図１１】
2004267303.tif 000013
【図１２】
2004267303.tif 000014
【図１３】
2004267303.tif 000015
【図１４】
2004267303.tif 000016
【図１５】
2004267303.tif 000017
【図１６】
2004267303.tif 000018
【図１７】
2004267303.tif 000019
【図１８】
2004267303.tif 000020
【図１９】
2004267303.tif 000021